(57)【要約】【課題】地上に布設されたケーブルを保護する。【解決手段】ケーブル保護具１は、ケーブル２に位置を固定される基礎部材１１と、基礎部材１１に予め植毛された複数の毛材１２とを備える。基礎部材１１は、線状の金属などであり、その端部を除いた中央部に線状の毛材１２が植毛される。中央部の毛材１２は、基礎部材１１から一様に且つ周囲方向に向かうように植毛されている。【選択図】図２
2014176149.tif 000002
【特許請求の範囲】
【請求項１】
地上に布設されたケーブルに位置を固定される基礎部材と、該基礎部材に予め植毛され、前記ケーブルから一様に且つ周囲方向に向かうように配置される複数の毛材とを備えることを特徴とするケーブル保護具。
【請求項２】
前記基礎部材は線状であり、前記ケーブルに巻き付けることで、前記ケーブルに位置を固定されることを特徴とする請求項１記載のケーブル保護具。
【請求項３】
前記基礎部材は、前記ケーブルを内包可能なチューブであり、前記毛材は前記チューブの外側に植毛されることを特徴とする請求項１記載のケーブル保護具。
【請求項４】
前記チューブは、円周方向の１箇所で開き、且つ、開いた部分の各端部が互いに引っかかって閉じるように構成されたことを特徴とする請求項３記載のケーブル保護具。
【請求項５】
前記基礎部材は、シート状であり、その一方面に前記毛材が植毛され、前記毛材に絡んむことで当該毛材に張り付く第２の毛材が他方面に植毛され、前記基礎部材を前記一方面を外側にして前記ケーブルに巻き付け、且つ、前記基礎部材を巻き終わりで重複させ、重複する部分の前記毛材と前記第２の毛材を張り合わせることで、前記基礎部材の位置を固定させることを特徴とする請求項１記載のケーブル保護具。
【発明の詳細な説明】
【技術分野】
【０００１】
本発明は、地上に布設されたケーブルを保護するケーブル保護具に関するものである。
【背景技術】
【０００２】
近年、図８に示すように、街路樹付近に布設されるケーブルが、樹木から降りてくる蟻により故障となる事象が頻発している。ケーブルには保護カバーが被せられるが、蟻は隙間から中に入り、ケーブルを齧り、これにより、故障が発生する。
【先行技術文献】
【非特許文献】
【０００３】
【非特許文献１】「会社概要」、［ｏｎｌｉｎｅ］、株式会社  能一産業、［平成２５年２月２６日検索］、インターネット＜ＵＲＬ：http://www.noichi.co.jp/profile.html＞
【非特許文献２】「鳥封じ」、［ｏｎｌｉｎｅ］、ヨツギ株式会社、［平成２５年２月２６日検索］、インターネット＜ＵＲＬ：http://www.yotsugi.co.jp/news/img/torifuji.pdf＞
【発明の概要】
【発明が解決しようとする課題】
【０００４】
本発明は、上記の課題に鑑みてなされたものであり、その目的とするところは、地上に布設されたケーブルを保護するケーブル保護具を提供することにある。
【課題を解決するための手段】
【０００５】
上記の課題を解決するために、本発明のケーブル保護具は、地上に布設されたケーブルに位置を固定される基礎部材と、該基礎部材に予め植毛され、前記ケーブルから一様に且つ周囲方向に向かうように配置される複数の毛材とを備えることを特徴とする。
【０００６】
例えば、前記基礎部材は線状であり、前記ケーブルに巻き付けることで、前記ケーブルに位置を固定される。
【０００７】
例えば、前記基礎部材は、前記ケーブルを内包可能なチューブであり、前記毛材は前記チューブの外側に植毛される。
【０００８】
例えば、前記チューブは、円周方向の１箇所で開き、且つ、開いた部分の各端部が互いに引っかかって閉じるように構成される。
【０００９】
例えば、前記基礎部材は、シート状であり、その一方面に前記毛材が植毛され、前記毛材に絡んむことで当該毛材に張り付く第２の毛材が他方面に植毛され、前記基礎部材を前記一方面を外側にして前記ケーブルに巻き付け、且つ、前記基礎部材を巻き終わりで重複させ、重複する部分の前記毛材と前記第２の毛材を張り合わせることで、前記基礎部材の位置を固定させる。
【発明の効果】
【００１０】
本発明のケーブル保護具によれば、地上に布設されたケーブルを蟻などの被害から保護することができる。
【図面の簡単な説明】
【００１１】
【図１】第１の実施の形態に係るケーブル保護具の利用形態を示す図である。
【図２】ケーブル保護具１の構成を示す図である。
【図３】ケーブル保護具１の中を蟻がどの程度の時間でどの程度進むかを調査するのに用いたケーブル保護具を示す図である。
【図４】図３の調査の結果を示す図である。
【図５】蟻の当初の位置をＣとして一定の時間内に蟻が達する位置の確率分布を示す図である。
【図６】第２の実施の形態に係るケーブル保護具を示す斜視図である。
【図７】第３の実施の形態に係るケーブル保護具を示す斜視図である。
【図８】従来における蟻によるケーブルへの被害の様子を示す図である。
【発明を実施するための形態】
【００１２】
以下、本発明の実施の形態について図面を参照して説明する。
【００１３】
［第１の実施の形態］
図１は、第１の実施の形態に係るケーブル保護具の利用形態を示す図である。
【００１４】
ケーブル保護具１は、地上に布設されたケーブル２を保護するもので、例えば、ケーブル２における樹木近くの部分に被せられた旧来の保護カバー３の各端部を被うように配置される。
【００１５】
樹木から保護カバー３の上に降りた蟻は保護カバー３のない箇所へ移動しようとし、ケーブル保護具１に達するが、ケーブル保護具１により、保護カバー３に被われていないケーブル２の部分への移動が防止される。これにより、蟻はケーブル２を齧れず、ケーブル２を蟻の被害から保護できる。もちろん、ケーブル保護具１により、蟻は保護カバー３の中にも進入できない。
【００１６】
なお、地下においては、蟻は土の中などを移動できるので、ケーブル保護具１は、地上のケーブルの保護に適している。
【００１７】
図２は、ケーブル保護具１の構成を示す図であり、図２（ａ）は側面からの図、図２（ｂ）は正面からの図である。なお、図２では保護カバー３の図示は省略する。
【００１８】
ケーブル保護具１は、ケーブル２に位置を固定される基礎部材１１と、基礎部材１１に予め植毛された複数の毛材１２とを備える。基礎部材１１は、金属の編み線などであり、その端部を除いた中央部に線状の毛材１２が植毛される。中央部の毛材１２は、基礎部材１１から一様に且つ周囲方向に向かうように植毛されており、つまり、容器を洗うブラシのような形状をなしている。中央部、すなわち、ブラシ部の長さは、例えば、２００〜３００ｍｍ程度である。各端部の長さは、例えば、５０〜１００ｍｍ程度である。毛材１２の長さは、例えば、３０〜５０ｍｍ程度である。
【００１９】
各端部は、ケーブル２に巻き付けられ、これにより、ケーブル２に対する基礎部材１１の位置が固定される。なお、ケーブル２にブラシ部を螺旋状に巻き付けて位置固定することも可能である。
【００２０】
こうして毛材１２は、ケーブル２から一様に且つ周囲方向に向かうように配置される。
【００２１】
次に、ケーブル保護具１の作用を説明する。
【００２２】
ケーブル保護具１に進入した蟻は、毛材１２に遮られ、毛材１２のない箇所に移動しようとすると思われるが、毛材１２はケーブル２の周囲一様に配置されるので、移動困難であり、よって、ケーブル２の剥き出しの部分（保護カバー３のない部分）への移動が困難となる。
【００２３】
また、蟻は、上方向への移動を好む性質を有し、これにより、毛材１２の先端方向へ移動する（登る）ことが期待できる。このような作用によっても、移動を困難にする効果がある。
【００２４】
図３は、ケーブル保護具１の中を蟻がどの程度の時間でどの程度進むかを調査するのに用いたケーブル保護具を示す図である。
【００２５】
ブラシ部の長さは１６０ｍｍとし、その中央点に蟻を置くこととした。毛材の長さｄを変えた２種類のケーブル保護具１を使用した。
【００２６】
図４は、上記調査の結果を示す図である。
【００２７】
毛材の長さｄを３０ｍｍとして、５回の調査を行ったが、１回目から４回目までにおいては、蟻は３０分以内に端部に達せず、図示の距離だけ移動した。５回目においては、蟻は１０分１４秒で端部に達した。
【００２８】
また、毛材の長さｄを５０ｍｍとして、５回の調査を行ったが、２回目と３回目においては、蟻は３０分以内に端部に達せず、図示の距離だけ移動した。１回目と４回目と５回目においては、蟻は図示の時間（３０分以内）を要し端部に達した。
【００２９】
よって、ケーブル保護具１は、蟻の移動を防止する効果を有することがわかる。
【００３０】
図５に示すように、上記調査における蟻の当初の位置をＣとすると、一定の時間内に蟻が達する位置の確率分布は正規分布となる。よって、例えば、蟻の数や種類や季節などにより蟻の移動距離が長くなることが懸念される場合には、単純にブラシ部を長くすれよく、こうして、効果向上が簡単に行える。
【００３１】
［第２の実施の形態］
図６は、第２の実施の形態に係るケーブル保護具を示す斜視図である。
【００３２】
基礎部材１１は、ケーブルを内包可能なチューブであり、毛材１２はチューブの外側に植毛される。チューブは、円周方向の１箇所で開き、且つ、開いた部分の各端部が互いに引っかかって閉じるように構成される。よって、ケーブル保護具の取り付けが短時間で容易に行え、設置の自由度を向上できる。また、ケーブルが多少曲がってもケーブル保護具は簡単には外れず、風で揺れるようなケーブルにも設置でき、保護できる。また、ケーブルが内包されるので、ケーブル保護具は、保護カバーの役割を兼ね、ケーブルが木に擦れることも防止できる。
【００３３】
なお、開いた部分の各端部を引っかけるのでなく、粘着テープなどによって互いに固定することとしてもよい。
【００３４】
［第３の実施の形態］
図７は、第３の実施の形態に係るケーブル保護具を示す斜視図である。
【００３５】
基礎部材１１は、シート状であり、その一方面に毛材１２が植毛され、毛材１２に絡んむことで毛材１２に張り付く第２の毛材（図示せず。以下、毛材１２Ａという）が他方面に植毛される。ケーブル保護具は、ベロクロテープやマジックテープと称されるものと同様のものであり、毛材１２はモヘヤまたはループ状である。
【００３６】
基礎部材１１を一方面を外側にしてケーブル（図示せず）に巻き付け、且つ、基礎部材１１を巻き終わりで重複させ、重複する部分の毛材１２と毛材１２Ａを互いに張り合わせることで、基礎部材１１の位置が固定される。
【００３７】
毛材１２は、モヘヤまたはループ状であるが、蟻の移動を毛材１２で防ぐ作用は同じであり、同様の移動防止効果を得ることができる。
【００３８】
また、ケーブル保護具の取り付けが短時間で容易に行え、設置の自由度を向上できる。  また、ケーブルが多少曲がってもケーブル保護具は簡単には外れず、風で揺れるようなケーブルにも設置し、保護できる。また、ケーブルが内包されるので、ケーブル保護具は、保護カバーの役割を兼ね、ケーブルが木に擦れることも防止できる。
【００３９】
なお、このようなモヘヤまたはループ状の毛材１２を第１の実施の形態や第２の実施の形態のケーブル保護具に使用してもよい。
【符号の説明】
【００４０】
１…ケーブル保護具
２…ケーブル
３…保護カバー
１１…基礎部材
１２…毛材
【図１】
2014176149.tif 000003
【図２】
2014176149.tif 000004
【図３】
2014176149.tif 000005
【図４】
2014176149.tif 000006
【図５】
2014176149.tif 000007
【図６】
2014176149.tif 000008
【図７】
2014176149.tif 000009
【図８】
2014176149.tif 000010